(57)【要約】【課題】詰替え用のガセット袋の開封口を自動的に拡開する。【解決手段】金属箔層を含んだ包装材によって筒状部が形成され、筒状部の両側にマチ部（１ｆ）が形成され、両マチ部間を横断するように伸びる少なくとも二本の封緘部（１ａ，１ｇ）によって内容物収納室が設けられ、いずれか一方の封緘部の近傍に切り取り予定線（１ｂ）が設定されたガセット袋（１）において、切り取り予定線よりも内容物収納室側の袋壁に、弾性テープ（２１）が取り付けられる。ガセット袋を切り取り予定線上で切断して開封すると、弾性テープの弾性により開封口（１ｅ）が自動的に拡開する。【選択図】図１
2012197110.tif 000002
【特許請求の範囲】
【請求項１】
金属箔層を含んだ包装材によって筒状部が形成され、筒状部の両側にマチ部が形成され、両マチ部間を横断するように伸びる少なくとも二本の封緘部によって内容物収納室が設けられ、いずれか一方の封緘部の近傍に切り取り予定線が設定されたガセット袋において、上記切り取り予定線よりも上記内容物収納室側の袋壁に、少なくとも上記両マチ部の箇所を横切るように伸びる弾性テープが取り付けられたことを特徴とするガセット袋。
【請求項２】
請求項１に記載のガセット袋において、上記弾性テープが、上記両マチ部を含む上記袋壁の全周にわたって取り付けられたことを特徴とするガセット袋。
【請求項３】
請求項１に記載のガセット袋において、上記弾性テープが、厚さ１００μｍ以上、幅５ｍｍ以上の四角形断面を有したポリエチレンテレフタレート製テープであることを特徴とするガセット袋。
【請求項４】
請求項１乃至請求項３のいずれか一項に記載のガセット袋に内容物を充填して密封したガセット袋。
【請求項５】
内容物が入れられた袋と、この袋が挿入される容器本体と、上記容器本体の開口部に嵌め込まれる際に上記袋の開封口を拡開する拡開部材と、上記容器本体の開口部を開閉する開閉蓋とが組み合わされた詰替容器セットにおいて、上記袋は開封によって多角形の開封口が形成されるガセット袋であって、金属箔層を含んだ包装材によって筒状部が形成され、筒状部の両側にマチ部が形成され、両マチ部間を横断するように伸びる少なくとも二本の封緘部によって内容物収納室が設けられ、いずれか一方の封緘部の近傍に切り取り予定線が設定され、上記切り取り予定線よりも上記内容物収納室側の袋壁に、少なくとも上記両マチ部の箇所を横切るように伸びる弾性テープが取り付けられ、上記拡開部材は、上記容器本体の開口部に装着される際に、上記容器本体内に収納されたガセット袋の開封口における外向きノッチ部内に侵入しつつ各外向きノッチ部を拡開する第一のガイド部と、この拡開部材の上記容器本体の開口部への装着が完了する際に上記開封口の内周縁を案内して上記開封口を整った形状に拡開する第二のガイド部とを具備したことを特徴とする詰替容器セット。
【発明の詳細な説明】
【技術分野】
【０００１】
本発明は、粉ミルク等の内容物を入れて密封するガセット袋であって、例えば詰替容器内に収納する際に開封すると、開封口が自動的に拡開するガセット袋、及び内容物を充填したガセット袋と、このガセット袋が挿入される容器本体と、ガセット袋の開封口を拡開する拡開部材と、容器本体の開口部を開閉する開閉蓋とが組み合わされた詰替容器セットに関する。
【背景技術】
【０００２】
従来、図１２（Ａ）に示すような粉ミルク等の内容物ａを充填し密封したガセット袋３０と、図１２（Ｂ）に示すごとく開封されたガセット袋３０が収納される箱型容器（図３及び図４参照）とが用意され、箱型容器に収納されたガセット袋３０内の内容物ａが消費されると、新たなガセット袋３０が開封され箱型容器内の空のガセット袋３０と交換される詰替容器が知られている。
【０００３】
なお、図１２（Ａ）（Ｂ）中、符号３０ａ、３０ｂ、３０ｃは各々封緘部、切り取り予定線、開封口を示す。
【０００４】
その他、袋口に沿って形状保持テープを接着し、形状保持テープを折り曲げることで袋口を所望の角度に保持することができるようにした袋が知られている（例えば、特許文献１参照）。
【０００５】
また、イージーピール性のある形状保持テープを平袋の口に相対峙するように取り付け、形状保持テープ同士を重ね合わせることにより平袋を閉じ、形状保持テープ同士を引き離して形状保持テープを変形させることで開封口を開口状態に保持することができるようにした袋が知られている（例えば、特許文献２参照。）。
【先行技術文献】
【特許文献】
【０００６】
【特許文献１】特開２００５−８８８９３号公報
【特許文献２】特許第４１２８０８９号公報
【発明の概要】
【発明が解決しようとする課題】
【０００７】
上記詰替容器において、ガセット袋３０がアルミニウム等の金属箔層を含んだ包装材で形成されている場合は、図１２（Ｂ）に示すように、ガセット袋３０を開封した後も包装材内の金属箔層等の折り癖によって、開封口３０ｃがほとんど閉じたままの状態となる。このため、開封したガセット袋を箱型容器内に入れた後、ガセット袋３０内から内容物ａを取り出すために指等で開封口３０ｃを広げる必要があり、その際指等がガセット袋の開口周辺に接触したり、開封口３０ｃから袋内に入ったりするので衛生的でない。また、指等にも内容物ａである粉ミルク等が付着することになる。
【０００８】
上記従来の形状保持テープを袋口に取り付けた袋を利用して袋口を大きく開いた状態に保持することも考えられるが、いずれにしても指で袋口を押し広げる操作をしなければならないので、袋口の回りに指等が接触したり袋内に指等が入ったりするのを防止することは困難である。
【０００９】
したがって、本発明は、上記問題点を解決することができるガセット袋を提供することを目的とする。
【課題を解決するための手段】
【００１０】
上記課題を解決するため、本発明は次のような構成を採用する。
【００１１】
なお、本発明の理解を容易にするため図面の参照符号を付するが、本発明はこれに限定されるものでない。
【００１２】
すなわち、請求項１に係る発明は、金属箔層を含んだ包装材によって筒状部が形成され、筒状部の両側にマチ部（１ｆ）が形成され、両マチ部（１ｆ）間を横断するように伸びる少なくとも二本の封緘部（１ａ，１ｇ）によって内容物収納室が設けられ、いずれか一方の封緘部（１ａ）の近傍に切り取り予定線（１ｂ）が設定されたガセット袋（１）において、上記切り取り予定線（１ｂ）よりも上記内容物収納室側の袋壁に、少なくとも上記両マチ部（１ｆ）の箇所を横切るように伸びる弾性テープ（２１）が取り付けられたガセット袋（１）を採用する。
【００１３】
なお、上記内容物（ａ）は乳製品とすることができる。乳製品には、「乳及び乳製品の成分規格等に関する省令（乳等省令）：昭和２６年１２月２７日厚生省令第５２号」における「乳」、「乳製品」及び「乳又は乳製品を主原料とする食品」が含まれ、具体的には、乳、加工乳、乳飲料、はっ酵乳、アイスクリーム、アイスミルク、ラクトアイス、チーズ、調製粉乳、全脂粉乳、脱脂粉乳、練乳等が挙げられ、このガセット袋はいずれの乳製品も包装可能である。
【００１４】
ただし、本発明は、容器が開封された後に長期にわたり喫食される乳製品に好適であり、かかる乳製品としては粉末形状の乳製品、即ち粉乳が好ましく、本発明の効果を最大限に享受することができる。
【００１５】
なお、粉乳とは、調製粉乳、全脂粉乳、脱脂粉乳等の他、粉末クリーム、インスタントクリーミーパウダー、ホエイパウダー、バターミルクパウダー、加糖粉乳等も含まれる。
【００１６】
請求項２に記載されるように、請求項１に記載のガセット袋において、上記弾性テープ（２１）が、上記両マチ部（１ｆ）を含む上記袋壁の全周にわたって取り付けられたものとすることができる。
【００１７】
請求項３に記載されるように、請求項１に記載のガセット袋において、上記弾性テープ（２１）が、厚さ１００μｍ以上、幅５ｍｍ以上の四角形断面を有したポリエチレンテレフタレート製テープであるものとすることができる。
【００１８】
請求項４に記載されるように、請求項１乃至請求項３のいずれか一項に記載のガセット袋に内容物を充填して密封すると包装体としてのガセット袋になる。
【００１９】
また、請求項５に係る発明は、内容物が入れられた袋と、この袋が挿入される容器本体と、上記容器本体の開口部に嵌め込まれる際に上記袋の開封口を拡開する拡開部材と、上記容器本体の開口部を開閉する開閉蓋とが組み合わされた詰替容器セットにおいて、上記袋は開封によって多角形の開封口が形成されるガセット袋であって、金属箔層を含んだ包装材によって筒状部が形成され、筒状部の両側にマチ部が形成され、両マチ部間を横断するように伸びる少なくとも二本の封緘部によって内容物収納室が設けられ、いずれか一方の封緘部の近傍に切り取り予定線が設定され、上記切り取り予定線よりも上記内容物収納室側の袋壁に、少なくとも上記両マチ部の箇所を横切るように伸びる弾性テープが取り付けられ、上記拡開部材は、上記容器本体の開口部に装着される際に、上記容器本体内に収納されたガセット袋の開封口における外向きノッチ部内に侵入しつつ各外向きノッチ部を拡開する第一のガイド部と、この拡開部材の上記容器本体の開口部への装着が完了する際に上記開封口の内周縁を案内して上記開封口を整った形状に拡開する第二のガイド部とを具備した構成を採用する。
【発明の効果】
【００２０】
本発明によれば、金属箔層を含んだ包装材によって筒状部が形成され、筒状部の両側にマチ部（１ｆ）が形成され、両マチ部（１ｆ）間を横断するように伸びる少なくとも二本の封緘部（１ａ，１ｇ）によって内容物収納室が設けられ、いずれか一方の封緘部（１ａ）の近傍に切り取り予定線（１ｂ）が設定されたガセット袋（１）において、上記切り取り予定線（１ｂ）よりも上記内容物収納室側の袋壁に、少なくとも上記両マチ部（１ｆ）の箇所を横切るように伸びる弾性テープ（２１）が取り付けられたガセット袋（１）であるから、ガセット袋（１）を切り取り予定線（１ｂ）上で切断して開封すると、弾性テープ（２１）の弾性により開封口（１ｅ）が自動的に拡開する。従って、手や指を添えて開封口（１ｅ）を押し広げなくとも、袋内の内容物（ａ）を簡易かつ迅速に袋外に取り出して使用することができる。
【図面の簡単な説明】
【００２１】
【図１】本発明に係るガセット袋を示し、（Ａ）は未開封状態で示す斜視図、（Ｂ）は開封状態で示す斜視図である。
【図２】詰替容器の平面図である。
【図３】図２中、ＩＩＩ−ＩＩＩ線矢視断面図である。
【図４】図２中、ＩＶ−ＩＶ線矢視断面図である。
【図５】拡開部材を斜め上から見た斜視図である。
【図６】拡開部材を斜め下から見た斜視図である。
【図７】拡開部材の平面図である。
【図８】図７中、ＶＩＩＩ−ＶＩＩＩ線矢視断面図である。
【図９】図７中、ＩＸ−ＩＸ線矢視断面図である。
【図１０】（Ａ）（Ｂ）（Ｃ）は、拡開部材によるガセット袋の開封口の拡開作用を斜め上から見た状態で示す斜視図である。
【図１１】（Ａ）（Ｂ）（Ｃ）は、拡開部材によるガセット袋の開封口の拡開作用を斜め下から見た状態で示す斜視図である。
【図１２】従来のガセット袋を示し、（Ａ）は未開封状態で示す斜視図、（Ｂ）は開封状態で示す斜視図である。
【発明を実施するための形態】
【００２２】
以下、本発明の望ましい形態について図面に基づいて説明する。
【００２３】
図１乃至図６に示すように、詰替容器は、内容物ａが入れられた詰替え用のガセット袋１と、このガセット袋１が挿入される箱型容器である容器本体２と、容器本体２の開口部に嵌め込まれる際にガセット袋１の開封口１ｅをさらに整った形に拡開する拡開部材３と、容器本体２の開口部を開閉する開閉蓋４とを具備する。
【００２４】
上記詰替え用のガセット袋１は、図１（Ａ）に示すように、シート状の包装材によって筒状部が形成され、筒状部の両側にマチ部１ｆが形成され、両マチ部１ｆ，１ｆ間を横断するように伸びる少なくとも二本の封緘部１ａ，１ｇによって内容物収納室が設けられ、いずれか一方の封緘部１ａの近傍に切り取り予定線１ｂが設定された構成とされる。
【００２５】
ガセット袋１は、合成樹脂の積層体である包装材で作られ、この積層体中には、ガスバリア性を付与するために、アルミニウム箔等の金属箔層が設けられている。この実施の形態では、包装材として、厚さ１２μｍのポリエチレンテレフタレート／厚さ７μｍのポリエチレン樹脂層／厚さ７μｍのアルミニウム箔／厚さ１５μｍのポリエチレン樹脂層／厚さ４０μｍのポリエチレン樹脂フィルム層の積層材が用いられている。
【００２６】
封緘部１ａ，１ｇはヒートシールによって形成され、両マチ部１ｆ，１ｆ間を帯状になって横断し、これによりガセット袋１内が密封される。
【００２７】
切り取り予定線１ｂは、特に物理的に形成する必要はないが、必要に応じて、例えば上記積層体中所望の層に切り取り用ミシン目を刻設することにより設けられ、あるいは印刷表示によって設けられる。
【００２８】
図１（Ａ）に示すように、ガセット袋１の袋壁には、弾性テープ２１が、上記切り取り予定線１ｂよりも内容物収納室側において両マチ部１ｆ，１ｆを含む袋壁全周にわたって取り付けられる。
【００２９】
弾性テープ２１は、例えばポリエチレンテレフタレートによって形成され、望ましくは厚さ１００μｍ以上、幅５ｍｍ以上の四角形断面を有するものとされる。弾性テープ２１の材料としては、ポリエチレンテレフタレートのほか、ポリエチレン、塩化ビニール、ゴム、シリコン樹脂等を用いることも可能である。また、断面形も四角形断面に限られるものでもないし、大きさも上記サイズに限定されるものでもない。
【００３０】
この弾性テープ２１が袋壁の内面又は外面にヒートシール又は接着剤によって貼着される。弾性テープ２１の貼着は、望ましくはガセット袋１に形成される前の包装材に対して行われる。
【００３１】
このように、弾性テープ２１が取り付けられたガセット袋１は、切り取り予定線１ｂ上で袋壁を切断し、封緘部１ａを除去すると、図１（Ｂ）に示すように、弾性テープ２１の弾性により開口が自動的に拡開する。従って、手や指を添えて開封口１ｅを押し広げなくとも、袋内の内容物ａを簡易かつ迅速に袋外に取り出して使用することができる。
【００３２】
なお、弾性テープ２１は必ずしも袋壁の全周にわたって取り付ける必要はなく、少なくとも両マチ部１ｆ，１ｆの箇所のみを横切って伸びるものとしてもよい。これにより、折り癖の付いた両マチ部１ｆ，１ｆの箇所を重点的に弾性テープ２１の弾性によって押し広げ、開封口１ｅを適正に開けることができる。
【００３３】
上記内容物ａは、この実施の形態では乳製品である粉ミルクとされるがその他のものであってもよい。
【００３４】
このガセット袋１は、詰替に際して上述のごとく切り取り予定線１ｂ上で封緘部１ａが切除されることにより開封され、図１（Ｂ）に示すように、上記弾性テープ２１が元の直線状に復帰しようとする弾性作用によって開封口１ｅが自動的に大きく開く。
【００３５】
なお、この開封口１ｅには、開口した当初四隅に各々外向きノッチ部１ｃが多少残留し、二対の外向きノッチ部１ｃの各対間に内向きノッチ部１ｄが多少残留する。ここで、外向きノッチ部は、ガセット袋を構成するシートの折り目が開封口１ｅの外側にＶ字形に突出した部分であり、内向きノッチ部は、ガセット袋を構成するシートの折り目が開封口１ｅの内側にＶ字形に突出した部分である。
【００３６】
この開封されたガセット袋１は、図１（Ｂ）に示す開封状態で容器本体２内に収納される。あるいは、容器本体２内に収納された後に図１（Ｂ）に示す開封状態とされる。
【００３７】
容器本体２は、図３及び図４に示すように、前後壁２ａ，２ｂと左右壁２ｃ，２ｄと底壁２ｅとを具備した全体として略直方体の箱型容器として形成される。この箱の開口部から上記開封されたガセット袋１又は未開封のガセット袋１が収納可能である。
【００３８】
容器本体２の開口部の外周には、上から下へと嵌合突起５、上リブ６、下リブ７が順に設けられる。図３及び図４に示すように、嵌合突起５は、拡開部材３の嵌合部８が容器本体２の開口部に被さったときに、この嵌合部８の嵌合突起８ａと嵌合可能である。図３に示すように、上リブ６には拡開部材３の嵌合部８の下縁が当接可能であり、下リブ７には開閉蓋４の嵌合部９の下縁が当接可能である。
【００３９】
また、容器本体２の後壁２ｂには、一対のヒンジを構成するためのブラケット１０が設けられる。図２及び図４に示すように、このブラケット１０に開閉蓋４のヒンジ軸１１が連結可能である。このブラケット１０とヒンジ軸１１からなるヒンジは例えば薄肉部で連結して、容器本体２及び開閉蓋４と一体的に形成することも可能である。また、ヒンジは拡開部材３と開閉蓋４との間に設けることも可能である。
【００４０】
開閉蓋４は、図２乃至図４に示すように、天板１２と、天板１２の周りから垂下する内外二重の周壁９ａ，９ｂよりなる嵌合部９とを具備する。
【００４１】
図２乃至図４に示すように、この開閉蓋４の嵌合部９が、拡開部材３の嵌合部８の上から容器本体２の開口部に嵌合する。すなわち、開閉蓋４で容器本体２の開口部を閉じたとき、容器本体２の開口部に嵌合した拡開部材３の嵌合部８が内外二重の周壁９ａ，９ｂ間に侵入し、これにより容器本体２と拡開部材３と開閉蓋４の三者が合体する。
【００４２】
拡開部材３は、図５乃至図９に示すように、容器本体２と開閉蓋４とは別体のガセット袋開封口拡開具として形成される。
【００４３】
拡開部材３は、容器本体２の開口部に合致しうる大きさの枠型に形成される。そして、この枠の外周側に、図２乃至図４に示すように、容器本体２の開口部に被さり、また、開閉蓋４の嵌合部９に被せられることで、この拡開部材３を容器本体２と開閉蓋４と一体化させる嵌合部８が設けられる。
【００４４】
拡開部材３における嵌合部８の内周側からは、斜壁１３が下がり、この斜壁１３の下端からは環状の水平壁１４が内方に突出し、この水平壁１４の内周にガセット袋１の開封口１ｅへの挿入体が概ね漏斗状に設けられる。
【００４５】
この挿入体は、その中央の略長方形の開口３ａにおける四隅に、ガセット袋１の開封口１ｅの四隅における外向きノッチ部１ｃに各々対応する第一のガイド部１５を有し、第一のガイド部１５と上記水平壁１４との間に、ガセット袋１の完全に拡開した開封口１ｅの内周縁に対応する第二のガイド部１７を有する。
【００４６】
また、上記開口の二短辺の各中央には、第一のガイド部１５による開封口１ｅの拡開時に開封口１ｅの内向きノッチ部１ｄの通過を許容する逃げ部１６が必要に応じて設けられる。
【００４７】
なお、この逃げ部１６の下面を、拡開中の内向きノッチ部１ｄが接触しつつ移動するガイド部とすることも可能である。
【００４８】
第一のガイド部１５が開封口１ｅの各外向きノッチ部１ｃ内に侵入して外向きノッチ部１ｃが拡開すると同時に内向きノッチ部１ｄが拡開し始めるが、その際逃げ部１６が内向きノッチ部１ｄの動きを妨げないので、開封口１ｅが円滑に拡開することとなる。
【００４９】
挿入体の中央の開口３ａは容器本体２の開口部の開口よりやや小さく、この開口を通して内容物ａの取り出しが行われる。
【００５０】
開封されたガセット袋１が収納された容器本体２の開口部に、拡開部材３が装着される際、図１０（Ａ）及び図１１（Ａ）に示すように、まず、その挿入体の第一のガイド部１５がガセット袋１の開封口１ｅにおける外向きノッチ部１ｃ内に侵入しつつ各外向きノッチ部１ｃを同時に拡開する。図１０（Ｂ）及び図１１（Ｂ）に示すように、同時に各内向きノッチ部１ｄも拡開しようとするが、逃げ部１６がこの内向きノッチ部１ｄの移動に伴う衝突を回避する。続いて、図１０（Ｃ）及び図１１（Ｃ）に示すように、第二のガイド部１７が開封口１ｅの内周縁を案内して開封口１ｅを整った形状に拡開し保形する。同時に、拡開部材３の嵌合部８が図３及び図４のごとく容器本体２の開口部と嵌合し、拡開部材３が容器本体２と一体化される。かくて、この拡開部材３の容器本体２の開口部への装着が完了する。
【００５１】
なお、第二のガイド部１７間は、水平壁１４から垂下する垂下壁１７ａに連なり、その結果、第二のガイド部１７は容器本体２の開口部の全内周に沿って壁状に延びることになる。これにより、ガセット袋１の開封口１ｅの全内周縁は、図３及び図４に示すように、拡開部材３の開口３ａの縁で遮蔽されるので、ガセット袋１から内容物ａを取り出す際に内容物ａが容器本体２とガセット袋１との間に落下するという不具合が防止される。
【００５２】
また、図２及び図３に示すように、嵌合部８の内周側に斜壁１３が設けられることで斜壁１３の内側には凹部が形成され、斜壁１３に連なるように環状の水平壁１４が設けられる。図２及び図３に示すように、この水平壁１４上にスプーン等計量具１８が置かれる。
【００５３】
また、拡開部材３には、図５乃至図９に示すように、その中央の開口３ａを横断するように摺り切り１９が架け渡される。上記計量具１８で掬った内容物ａをこの摺り切り１９により摺り切ることが可能である。
【００５４】
また、拡開部材３の周縁すなわち嵌合部には、外方向に突出する摘み片２０が設けられる。操作者は摘み片２０を持って拡開部材３を容器本体２等に対し簡易に着脱することできる。
【００５５】
次に、上記構成の詰替容器及び拡開部材の作用について説明する。
【００５６】
（１）粉ミルク等の内容物ａが収納されたガセット袋１は、当初図１（Ａ）に示すような開封口１ｅが封緘部１ａで密封された状態にある。
【００５７】
このガセット袋１の封緘部１ａが、切り取り予定線１ｂ上で切除されることにより、図１（Ｂ）に示すように開封される。この開封されたガセット袋１が容器本体２内に挿入される。あるいは、未開封のガセット袋１が容器本体２内に収納された後、その封緘部１ｂが切除されることにより開封される。
【００５８】
開封口１ｅは弾性テープ２１の元の直線状に復帰しようとする弾性作用により、図１（Ｂ）に示すように開封と同時に自動的に大きく拡開する。従って、操作者は手や指で開封口１ｅの回りや袋内に触れることなく、内容物ａを簡易かつ迅速に袋外に取り出すことができる。
【００５９】
（２）ガセット袋１の開封口１ｅには、図１（Ｂ）に示すように、当初四つの外向きノッチ部１ｃと二つの内向きノッチ部１ｄとが多少残留する場合がある。
【００６０】
この容器本体２内のガセット袋１の開封口１ｅ内に、操作者によって拡開部材３の挿入部が挿入される。
【００６１】
この拡開部材３の装着は必要に応じて行われるもので、上記弾性テープ２１による開封口１ｅの拡開が十分であれば省略可能である。あるいは、拡開部材３における第一のガイド部１５や逃げ部１６を省略してもよい。
【００６２】
（３）図１０（Ａ）及び図１１（Ａ）に示すように、まず、拡開部材３における挿入体の第一のガイド部１５がガセット袋１の開封口１ｅにおける外向きノッチ部１ｃ内に侵入しつつ各外向きノッチ部１ｃを同時に拡開する。
【００６３】
（４）続いて、図１０（Ｂ）及び図１１（Ｂ）に示すように、逃げ部１６が開封口１ｅにおける内向きノッチ部１ｄの通過を許容し、また、この逃げ部１６の奥に設けられた庇状ガイド部１６ａが内向きノッチ部１ｄに当接しながら各内向きノッチ部１ｄを拡開状態へと案内する。
【００６４】
（５）さらに、図１０（Ｃ）及び図１１（Ｃ）に示すように、第二のガイド部１７が開封口１ｅの内周縁を案内して開封口１ｅを整った形状に拡開し保持する。
【００６５】
（６）ガセット袋１の開封口１ｅが第二のガイド部１７によって略長方形に開き切ると同時に、拡開部材３の嵌合部８が図３及び図４のごとく容器本体２の開口部と嵌合し、拡開部材３が容器本体２と一体化される。
【００６６】
かくて、操作者の指等がガセット袋１の内部に触れることなく、ガセット袋１の開封口１ｅが更に大きく整った四角形に開かれた状態で速やかに詰替容器の開口部に装着されることとなる。
【００６７】
（７）ガセット袋１の内容物ａを取り出すには、スプーン等の計量具１８を拡開部材３の開口３ａからガセット袋１内に挿入して内容物ａを掬い、摺り切り１９で余剰の内容物ａを除去し、容器本体２外へと取り出す。
【００６８】
（８）第二のガイド部１７及び垂下壁１７ａが容器本体２の開口部の全内周に沿って伸びるので、ガセット袋１の開封口１ｅの全内周は、図３及び図４に示すように、拡開部材３の開口縁から遮蔽される。これにより、ガセット袋１から内容物ａを取り出す際に内容物ａが容器本体２とガセット袋１との間に落下するという不具合が防止される。
【００６９】
（９）内容物ａの取り出し後、開閉蓋４を容器本体２の開口部側に倒して開閉蓋４の嵌合部９を拡開部材３の嵌合部８に嵌合させることで、開閉蓋４によって再びガセット袋１内を密閉状態に保つことができる。
【００７０】
（１０）ガセット袋１内の内容物ａが消費されると、開閉蓋４を開け、拡開部材３を容器本体２から取り外し、空のガセット袋１を容器本体２から抜き取り、新しいガセット袋１を開封して上述したと同様な手順で容器本体２内に装着する。ガセット袋１の開封口１ｅは弾性テープ２１の復元作用で適正に拡開する。
【００７１】
また、この開封口１ｅの拡開が不十分、不完全であっても、拡開部材３でガセット袋１の開封口１ｅを拡開することでより整った形状の開封口１ｅを形成し、中味の内容物ａを取り出すことができる。
【００７２】
なお、本発明は上記実施の形態に限定されるものではなく、本発明の要旨の範囲内で種々変更可能である。例えば、実施の形態では内容物は粉ミルクであるが、そのような粉末状のほか、顆粒状、粒状、ブロック状、ペースト状等各種の形態の食品とすることができる。その他、内容物は、錠剤であってもよいし、個々のピースが個包装されたピース状のものであってもよい。
【実施例】
【００７３】
ポリプロピレン、ポリエチレンテレフタレートを各々使用し、また、断面が四角形であって断面積を種々変化させた弾性テープを作成した。そして、各弾性テープを、粉ミルクを充填したガセット袋の封緘部に沿って袋全周にヒートシールにより貼着した。これらガセット袋の封緘部を切除して開封口を見たところ、下表１の結果を得た。
【００７４】
【表１】
2012197110.tif 000003
【００７５】
表１中、「ＯＰＰ」は延伸ポリプロピレンを示し、「ＰＥＴ」はポリエチレンテレフタレートを示す。「△」は開封口の自動開口性が不十分で、指を使わなければ十分に開けることができなかった場合を示し、「○」は開封口の自動開口性が十分であった場合を示す。
【００７６】
表１に示した内容から明らかなように、弾性テープが、厚さ１００μｍ以上、幅５ｍｍ以上の長方形断面のポリエチレンテレフタレート製テープである場合に、良好な自動開口性を得ることができる。
【符号の説明】
【００７７】
１…ガセット袋
１ａ，１ｇ…封緘部
１ｂ…切り取り予定線
１ｅ…開封口
１ｆ…マチ部
２１…弾性テープ
ａ…内容物
【図１】
2012197110.tif 000004
【図２】
2012197110.tif 000005
【図３】
2012197110.tif 000006
【図４】
2012197110.tif 000007
【図５】
2012197110.tif 000008
【図６】
2012197110.tif 000009
【図７】
2012197110.tif 000010
【図８】
2012197110.tif 000011
【図９】
2012197110.tif 000012
【図１０】
2012197110.tif 000013
【図１１】
2012197110.tif 000014
【図１２】
2012197110.tif 000015